(57)【要約】【課題】  ＣＡＶ制御によりデータ記録を行なう場合であっても、ウォブル信号のディレイ量を適正な値にして安定したデータの記録を実行できる光ディスク装置を提供する。【解決手段】  ＬＰＰ信号ｆから第１の同期信号ｇを生成する第１のＰＬＬ回路４４と、ウォブル信号ｅの位相をＬＰＰ信号ｆに合わせるディレイ回路６２を有し、ウォブル信号ｅから第２の同期信号ｈを生成する第２のＰＬＬ回路４６とを具備し、第１の同期信号ｇと第２の同期信号ｈとを加算して最終的な同期信号ｊを生成し、同期信号ｊに同期させてデータを記録する光ディスク装置３０において、データを記録する際には、記録速度に基づいてディレイ回路６２における最適なディレイ量を算出してデータ記録を実行する制御手段５０を具備する。【選択図】        図２
2006236521.tif 000002
【特許請求の範囲】
【請求項１】
光ディスクから、ウォブル成分とＬＰＰ成分とが重畳したプッシュプル信号を読み取り可能な光ピックアップと、
該光ピックアップが読み取ったプッシュプル信号から２値化されたウォブル信号を生成するウォブル信号生成回路と、
前記光ピックアップが読み取ったプッシュプル信号からＬＰＰ信号を生成するＬＰＰ信号生成回路と、
前記ＬＰＰ信号から第１の同期信号を生成する第１のＰＬＬ回路と、
前記ウォブル信号の位相を前記ＬＰＰ信号の位相に合わせたディレイウォブル信号を生成するディレイ回路を有し、前記ディレイウォブル信号から第２の同期信号を生成する第２のＰＬＬ回路と、
前記第１の同期信号と前記第２の同期信号とを加算して電圧制御信号を生成する第１の加算部と、
前記電圧制御信号の電圧値に基づいて発信周波数を変化させた最終的な同期信号を出力する電圧制御発振器とを具備し、
光ディスクにデータを記録する際には前記最終的な同期信号を基準としてデータ記録を実行可能な光ディスク装置において、
データを記録する際には、記録速度に基づいて前記ディレイ回路における最適なディレイ量を算出してデータ記録を実行する制御手段を具備することを特徴とする光ディスク装置。
【請求項２】
光ディスク上のデータの記録位置と前記ディレイ回路における最適なディレイ量との関係式が予め記憶された関係式記憶手段が設けられ、
前記制御手段は、
ＣＡＶ制御に基づいてデータを記録する際には、データを記録すべき位置に基づいて前記関係式から最適なディレイ量を算出して、ディレイ量を変化させつつデータ記録を実行することを特徴とする請求項１記載の光ディスク装置。
【請求項３】
前記関係式は、
光ディスクにおける所定の２箇所のアドレスと、該各アドレスにおけるディレイ量とから予め算出された、アドレスとディレイ量に関する１次関数であることを特徴とする請求項２記載の光ディスク装置。
【請求項４】
前記第１のＰＬＬ回路は、
記光ピックアップが読み取ったＬＰＰ信号と該ＬＰＰ信号を平滑化した平滑ＬＰＰ信号との位相差を第１の誤差信号として出力する第１の位相比較器、前記第１の誤差信号を電圧値の変化量とした第１の電圧制御信号を生成するチャージポンプ回路、および前記第１の電圧制御信号の低周波成分のみを通過させて第１の同期信号を生成するローパスフィルタが設けられ、
前記第２のＰＬＬ回路は、
前記ディレイ回路、前記ディレイウォブル信号の周波数をカウントしてウォブル信号の周波数に基づくパルス状の周波数カウント信号を出力する周波数検出器、前記ディレイウォブル信号と第２の同期信号とが入力され、ディレイウォブル信号と第３の同期信号との位相を比較して位相差を第２の誤差信号として出力する第２の位相比較器、前記第２の誤差信号に前記周波数カウント信号を加算して第２の電圧制御信号を生成する第２の加算部、前記第２の電圧制御信号の電圧値に基づいて発信周波数を変化させた第３の同期信号を出力する第２の電圧制御発振器、第３の同期信号と最終的に出力される同期信号との位相を比較して位相差を第３の誤差信号として出力する第３の位相比較器、および前記第３の誤差信号の低周波成分のみを通過させて第２の同期信号を生成するローパスフィルタが設けられていることを特徴とする請求項１〜請求項３のうちのいずれか１項記載の光ディスク装置。
【発明の詳細な説明】
【技術分野】
【０００１】
本発明は、光ディスクから読み出したＬＰＰ信号およびウォブル信号に基づいてデータ記録時に用いる同期信号を生成するＰＬＬ回路を具備する光ディスク装置に関する。
【背景技術】
【０００２】
ＣＤ、ＤＶＤ等の光ディスクにデータを記録可能な光ディスク装置においては、光ディスクから読み出した、後述するＬＰＰ（Land-Pre Pit）信号に基づいてデータ記録時にクロックとして用いる同期信号が光ディスク装置内部で生成されている。
【０００３】
同期信号を生成するのは、ＰＬＬ（Phase Locked Loop）回路と呼ばれる回路である。
一般的に、ＰＬＬ回路は入力信号と出力信号との位相差を検出し、ＶＣＯ（Voltage Controlled Oscillator：電圧制御発振器）やループフィルタ等を制御することで、入力信号に正確に同期した周波数の信号を発振することができる回路である。
【０００４】
まず、ウォブル信号およびＬＰＰ信号の概要について説明ずる。
図４に示すように、光ディスクの記録面にはレーザ光を案内するためのランド５（溝）が形成されているが、ランド５とランド５の間がグルーブ７として記録面側に突出してレーザ光が照射されて相変化する部位となる。グルーブ７は所定の周期で蛇行（ウォブル）して形成されており、光ディスク装置側にこの周期を時間情報として提供できる。光ディスク装置ではグルーブ７のウォブルに基づいて得られたウォブル信号を検出してディスク回転制御時の時間情報等に用いている。
【０００５】
また、ＤＶＤ−ＲやＤＶＤ−ＲＷ等の光ディスクについては、グルーブ７と隣合うグルーブ７の間には、所定間隔おきに孤立ピットとしてランドプリピット９（Land  Pre-pit：ＬＰＰ）が形成されている。ランドプリピット９（ＬＰＰ）に基づいて得られる所定周期を有するＬＰＰ信号は、データ記録時における位置制御等を行なう際の時間情報として光ディスク装置内で利用される。
【０００６】
次に、従来の光ディスク装置について説明する。
図５に示すように、ＤＶＤディスク１１をドライブする光ディスク装置１０では、装着されたＤＶＤディスク１１に光ピックアップ１２からレーザ光を照射し、光ピックアップ１２内のフォトダイオード１３がＤＶＤディスク１１からの反射光を受光している。光ピックアップ１２内のフォトダイオード１３は複数個に分割された受光面を形成しており、各受光面で受光した反射光強度の差を検出することでプッシュプル信号ｃが生成される。
【０００７】
このプッシュプル信号は、図６に示したような波形となる。
つまり、プッシュプル信号ｃは、グルーブ７の蛇行（ウォブル）に沿った振幅と波長を有するウォブル成分ｃ１と、ランドプリピット（ＬＰＰ）の位置に該当するように所定間隔おきに形成されるパルス状のＬＰＰ成分ｃ２とが重ね合された波形となる。
具体的には、正弦波に近い形状のウォブル成分ｃ１のピーク部分（最大振幅値または最小振幅値）において、更に突出するパルス状の波形がＬＰＰ成分ｃ２である。
【０００８】
光ディスク装置１０では、光ピックアップ１２から読み出した光強度信号ａに基づいてプッシュプル信号ｃを生成するＲＦアンプ１４と、プッシュプル信号ｃからウォブル成分ｃ１を分離してウォブル信号ｅを生成するウォブル信号生成回路１５と、プッシュプル信号ｃからＬＰＰ成分ｃ２を分離してＬＰＰ信号ｆを生成するＬＰＰ信号生成回路１６と、ウォブル信号ｅとＬＰＰ信号ｆとからデータ記録用の同期信号ｊを生成するＰＬＬ回路２０が設けられている。
【０００９】
従来のＰＬＬ回路２０は、ＬＰＰ信号ｆに基づいて第１の同期信号ｇを生成する第１のＰＬＬ回路１７と、２値化されたウォブル信号ｅに基づいて第２の同期信号ｈを生成する第２のＰＬＬ回路１８とを有しており、第１のＰＬＬ回路１７で生成された第１の同期信号ｇと第２のＰＬＬ回路１８で生成された第２の同期信号ｈを加算部１９で加算して最終的な同期信号ｊを得られるようにしている（例えば特許文献１参照）。
【００１０】
このように、データ記録用の同期信号ｊを生成するにあたって、ＬＰＰ信号ｆとウォブル信号ｅの双方を用いて同期信号ｊを生成することによって、ＬＰＰ信号ｆの読み出しが不完全であった場合でもウォブル信号ｅを用いて同期信号ｊを生成することができ、安定したデータ記録動作が図れるという利点があった。
【００１１】
【特許文献１】特開２００２−３５８７３７号公報（図５等）
【発明の開示】
【発明が解決しようとする課題】
【００１２】
プッシュプル信号ｃのうち、ＬＰＰ成分ｃ２はウォブル成分ｃ１の頂点に存在する。したがって、ＬＰＰ成分ｃ２とウォブル成分ｃ１とを分離して２値化した場合には、図７（ａ）のようにＬＰＰ信号ｆの立ち上がりと、ウォブル信号ｅの立ち上がりとは同期していない。
すなわち、このままＬＰＰ信号ｆとウォブル信号ｅのそれぞれに基づいて同期信号ｇ，ｈを生成しても、それぞれの位相がずれたままであるため、これらを加算して最終的な同期信号ｊを得ることができない。このため、図７（ｂ）に示すように、ウォブル信号ｅの位相をＬＰＰ信号ｆの位相に合わせるように位相をずらすディレイ回路を設ける必要があった。
【００１３】
なお、ウォブル信号とＬＰＰ信号の位相のずれの大きさは、データの記録速度（本明細書中、記録速度とは光ピックアップに対して実際にグルーブが進む速度をいう）によって異なっていることが判明している。
すなわち、ＣＡＶ（Constant Angular Velocity）制御によってデータの記録を行なう場合には、光ディスクの回転数が一定で線速度がディスク内周から外周方向に向かうにしたがって徐々に速くなるため、ウォブル信号とＬＰＰ信号との間の位相のずれ量が変化してしまい、ディレイ回路を設けたとしてもディレイ量を常に適正な値にしないと安定したデータ記録動作が図れないとという課題があった。
【００１４】
そこで、本発明は上記課題を解決すべくなされ、その目的とするところは、ＣＡＶ制御によりデータ記録を行なう場合であっても、ウォブル信号のディレイ量を適正な値にして安定したデータの記録を実行できる光ディスク装置を提供することにある。
【課題を解決するための手段】
【００１５】
本発明にかかる光ディスク装置によれば、光ディスクから、ウォブル成分とＬＰＰ成分とが重畳したプッシュプル信号を読み取り可能な光ピックアップと、該光ピックアップが読み取ったプッシュプル信号から２値化されたウォブル信号を生成するウォブル信号生成回路と、前記光ピックアップが読み取ったプッシュプル信号からＬＰＰ信号を生成するＬＰＰ信号生成回路と、前記ＬＰＰ信号から第１の同期信号を生成する第１のＰＬＬ回路と、前記ウォブル信号の位相を前記ＬＰＰ信号の位相に合わせたディレイウォブル信号を生成するディレイ回路を有し、前記ディレイウォブル信号から第２の同期信号を生成する第２のＰＬＬ回路と、前記第１の同期信号と前記第２の同期信号とを加算して電圧制御信号を生成する第１の加算部と、前記電圧制御信号の電圧値に基づいて発信周波数を変化させた最終的な同期信号を出力する電圧制御発振器とを具備し、光ディスクにデータを記録する際には前記最終的な同期信号を基準としてデータ記録を実行可能な光ディスク装置において、データを記録する際には、記録速度に基づいて前記ディレイ回路における最適なディレイ量を算出してデータ記録を実行する制御手段を具備することを特徴としている。
【００１６】
この構成による作用は、以下の通りである。
すなわち、ウォブル信号とＬＰＰ信号との位相差は、記録速度に応じて異なる値となることが経験上判明している。そこで、ウォブル信号とＬＰＰ信号の双方から同期信号を生成し、これら２つの同期信号を加算して最終的な同期信号を得る光ディスク装置においては、ウォブル信号の位相をＬＰＰ信号の位相に合わせるディレイ回路が設けられており、データ記録の際には、記録速度に応じて最適なディレイ量を算出し、このディレイ量に基づいてデータ記録を行なう。
このため、常に安定した同期信号を得ることができ、記録するデータの品位向上にも寄与する。
【００１７】
また、光ディスク上のデータの記録位置と前記ディレイ回路における最適なディレイ量との関係式が予め記憶された関係式記憶手段が設けられ、前記制御手段は、ＣＡＶ制御に基づいてデータを記録する際には、データを記録すべき位置に基づいて前記関係式から最適なディレイ量を算出して、ディレイ量を変化させつつデータ記録を実行することを特徴としてもよい。
ＣＡＶ制御の場合にはデータの記録速度は、ディスク外周に向かうにしたがって高速となる。つまり、光ディスク上の記録位置と記録速度とは比例関係にあり、記録速度からディレイ量を算出するのではなく、記録位置からディレイ量が算出可能となり、記録速度が常時変化するＣＡＶ制御であっても、関係式に基づいて常時最適なディレイ量を算出することができる。
【００１８】
また、また、前記関係式は、光ディスクにおける所定の２箇所のアドレスと、該各アドレスにおけるディレイ量とから予め算出された、アドレスとディレイ量に関する１次関数であることを特徴としてもよい。
【００１９】
さらに、前記第１のＰＬＬ回路は、記光ピックアップが読み取ったＬＰＰ信号と該ＬＰＰ信号を平滑化した平滑ＬＰＰ信号との位相差を第１の誤差信号として出力する第１の位相比較器、前記第１の誤差信号を電圧値の変化量とした第１の電圧制御信号を生成するチャージポンプ回路、および前記第１の電圧制御信号の低周波成分のみを通過させて第１の同期信号を生成するローパスフィルタが設けられ、前記第２のＰＬＬ回路は、前記ディレイ回路、前記ディレイウォブル信号の周波数をカウントしてウォブル信号の周波数に基づくパルス状の周波数カウント信号を出力する周波数検出器、前記ディレイウォブル信号と第２の同期信号とが入力され、ディレイウォブル信号と第３の同期信号との位相を比較して位相差を第２の誤差信号として出力する第２の位相比較器、前記第２の誤差信号に前記周波数カウント信号を加算して第２の電圧制御信号を生成する第２の加算部、前記第２の電圧制御信号の電圧値に基づいて発信周波数を変化させた第３の同期信号を出力する第２の電圧制御発振器、第３の同期信号と最終的に出力される同期信号との位相を比較して位相差を第３の誤差信号として出力する第３の位相比較器、および前記第３の誤差信号の低周波成分のみを通過させて第２の同期信号を生成するローパスフィルタが設けられていることを特徴としてもよい。
【発明の効果】
【００２０】
本発明の光ディスク装置によれば、ＣＡＶ制御によってデータの記録を行なってる最中であっても安定して同期信号の生成ができ、記録するデータの品位向上を図ることができる。
【発明を実施するための最良の形態】
【００２１】
（実施例）
図１に、本発明の光ディスク装置について示し、光ディスク装置の構成と動作について説明する。
本実施例による光ディスク装置３０は、少なくともＤＶＤ−ＲまたはＤＶＤ−ＲＷに対してデータの記録が可能な装置であるが、ＤＶＤの他の規格（例えばＤＶＤ＋Ｒ、ＤＶＤ＋ＲＷ等）やＣＤに対してデータの記録や再生をすることができる機能を有していてもよい。
【００２２】
光ディスク３１は、スピンドルモータ３２によって回転駆動され、光ディスク３１の径方向に移動する光ピックアップ３４によってデータ再生、およびデータ記録が行なわれる。
光ピックアップ３４は、レーザ光を照射するレーザダイオード３７、光ディスク３１の記録層に焦点を合わせるための対物レンズ３３、光ディスク３１から反射してくる反射光を受光する受光素子であるフォトダイオード３５等を有している。
【００２３】
フォトダイオード３５は、受光した反射光強度を電圧値に変換した光強度信号ａをＲＦアンプ３６へ出力する。
ＲＦアンプ３６では、光強度信号ａに基づいて、フォトダイオード３５の各分割受光面で受けた光強度の和や差をとることにより、記録されているデータ信号の基礎となるＲＦ信号ｂや、ウォブル信号とＬＰＰ信号の基礎となるプッシュプル信号ｃを生成することができる。
なお、ＲＦアンプ３６では、上記の各信号の他に光ピックアップ３４のサーボ動作を制御するための制御信号であるトラッキングエラー信号やフォーカスエラー信号も生成されて図示しないサーボプロセッサに入力される。
【００２４】
ＲＦアンプ３６で生成されたＲＦ信号ｂは、デコーダ３８に入力される。
デコーダ３８には、データの復調手段と誤り訂正手段とが設けられており、ＲＦ信号ｂのＥＦＭ（Eight to Fourteen Modulation）＋復調および誤り訂正がなされ、データ信号ｄが生成される。
復調および誤り訂正がされてなるデータ信号ｄは、バッファメモリ（図示せず）に一旦蓄えられてから、インターフェース３９を介してホストコンピュータ等の外部機器に再生データとして出力される。
【００２５】
ＲＦアンプ３６によって生成されたプッシュプル信号ｃは、ウォブル信号生成回路４２と、ＬＰＰ信号生成回路４０のそれぞれに分岐して入力される。
ウォブル信号生成回路４２には、フィルタ７４とコンパレータ７６とが設けられている。  ウォブル信号生成回路４２に入力されたプッシュプル信号ｃは、まずフィルタ７４によってＬＰＰ成分が除去され、その後コンパレータ７６によって２値化されたウォブル信号ｅとして生成される。
【００２６】
また、ＬＰＰ信号生成回路４０には、コンパレータ７８等が用いられている。
ＬＰＰ信号生成回路４０に入力されたプッシュプル信号ｃは、コンパレータ７８によって所定の電圧値以下の電圧値を除去するようにスライス整形され、プッシュプル信号ｃに含まれているＬＰＰ成分のみを抽出したＬＰＰ信号ｆが生成される。
【００２７】
ＬＰＰ信号生成回路４０には、ＬＰＰ信号ｆに基づいて第１の同期信号ｇを生成する第１のＰＬＬ回路４４が接続されている。
また、ウォブル信号生成回路４２には、２値化されたウォブル信号ｅに基づいて第２の同期信号ｈを生成する第２のＰＬＬ回路４６が接続されている。
これら、第１のＰＬＬ回路４４および第２のＰＬＬ回路４６の回路構成の詳細については後述する。
【００２８】
第１の同期信号ｇと第２の同期信号ｈとは第１の加算部４７において加算され、第３の電圧制御信号ｉとして生成される。第３の電圧制御信号ｉは第３の電圧制御発振器（以下、ＶＣＯと称する場合がある：なお第３の電圧制御発振器が請求項１の電圧制御発振器に該当する）４８に入力され、第３の電圧制御信号ｉの電圧値に応じた周波数を有する最終的な同期信号ｊに生成される。
【００２９】
なお、第２のＰＬＬ回路４６には、後述するように、ウォブル信号ｅの位相をＬＰＰ信号ｆの位相に合わせるために、ウォブル信号ｅの位相を遅らせるディレイ回路６２が設けられている。このディレイ回路６２はディレイ量を調整可能であり、ディレイ量の調整は制御手段５０によって制御されている。制御手段５０は、ＣＰＵ等から構成されており、ディレイ回路６２の制御以外に他の動作制御も実行可能である。
【００３０】
ＶＣＯ４８で得られた同期信号ｊは、エンコーダ５４に入力される。
また、エンコーダ５４には、光ディスク３１に記録すべきデータが外部機器からインターフェース３９を介して入力されている。
エンコーダ５４では、入力された同期信号ｊに同期するように記録すべきデータのＥＦＭ＋変調等のエンコード処理が行なわれる。したがって、エンコードされたデータは、光ディスク３１の記録速度に同期したものとなり、レーザドライバ５６に出力される。
レーザドライバ５６では、エンコードされたデータに基づいて光ピックアップ３４内のレーザダイオード３７の駆動電流を制御する。
【００３１】
次に、第１のＰＬＬ回路４４および第２のＰＬＬ回路４６の詳細な構成、ならびに同期信号ｊの生成方法について、図２に基づいて詳述する。
まず第１のＰＬＬ回路４４の構成について説明する。
第１のＰＬＬ回路４４は、ＬＰＰ信号生成回路４０にて生成されたＬＰＰ信号ｆを平滑化する平滑化回路５５と、平滑化されたＬＰＰ信号ｋとＬＰＰ信号ｆとの位相差を検出し、位相差を第１の誤差信号ｌとして出力する第１の位相比較器５７と、第１の誤差信号ｌを電圧値の変化量に変換した第１の電圧制御信号ｍを生成するチャージポンプ回路５８と、第１の電圧制御信号ｍの低周波成分のみを通過させて第１の同期信号ｇを生成するＬＰＦ（ローパスフィルター）６０とを備えている。
【００３２】
次に、第２のＰＬＬ回路４６について説明する。
第２のＰＬＬ回路４６は、ウォブル信号生成回路４２によって生成された、２値化されたウォブル信号ｅをＬＰＰ信号ｆの位相に合わせるディレイ回路６２と、ディレイ回路６２によって位相を遅らされたディレイウォブル信号ｎの周波数をカウントし、ディレイウォブル信号ｎの周波数に基づくパルス状の周波数カウント信号ｏを出力する周波数検出器６４とが設けられている。
ディレイウォブル信号ｎは分岐されて第２の位相比較器６６に入力される。第２の位相比較器６６には、後述する第３の同期信号ｓがフィードバックして入力され、ディレイウォブル信号ｎと第３の同期信号ｓとの位相差を第２の誤差信号ｐとして出力する。
【００３３】
また、第２のＰＬＬ回路４６には、第２の誤差信号ｐが入力されて第２の誤差信号ｐのノイズを除去するデジタルフィルタ６７と、デジタルフィルタ６７によってノイズが除去された第２の誤差信号ｑと周波数カウント信号ｏとを加算して第２の電圧制御信号ｒを生成する第２の加算部６９とが設けられている。
【００３４】
さらに、第２のＰＬＬ回路４６には、第２の電圧制御信号ｒの電圧値の大きさに基づいて出力するパルス信号の周波数を変化させた第３の同期信号ｓを出力する第２のＶＣＯ６８が設けられている。
第２のＶＣＯ６８から出力された第３の同期信号ｓは、上記のように第２の位相比較器６６にフィードバックされると共に第３の位相比較器７０に入力される。
第３の位相比較器７０は、第３の同期信号ｓと共に、最終的に出力される同期信号ｊを分周器７３によって周波数を１／Ｎ（Ｎは任意の整数）に減少させた１／Ｎ同期信号ｕとが入力され、互いに位相比較する。なお、このように分周器７３を設けて１／Ｎ同期信号ｕをフィードバックさせることによって、最終的に出力する同期信号ｊの周波数を第３の同期信号ｓのＮ倍にすることができるが、第３の同期信号ｓと同一の周波数の同期信号を出力しようとする場合にあっては、分周器７３を設けなくともよい場合もある。
そして、第３の位相比較器７０は、第２の同期信号ｓと１／Ｎ同期信号ｕとの位相差を第３の誤差信号ｔとして出力する。
【００３５】
第３の誤差信号ｔは、ＬＰＦ（ローパスフィルター）７２に入力される。ＬＰＦ７２は、第３の誤差信号ｔの低周波成分のみを通過させて第２の同期信号ｈを生成し、加算部４７へ出力する。
【００３６】
このように、第２のＰＬＬ回路４６には、ＬＰＰ信号ｆが直接入力されないので、ＬＰＰ信号ｆの検出が困難になっているときであってもウォブル信号に基づいて同期信号ｊの生成を続けることができる。
【００３７】
なお、ディレイ回路６２には、制御手段５０が接続されており、予め設定されている関係式に基づいてそのディレイ量が制御される。
制御手段５０によるディレイ量の制御について、以下に説明する。
ディレイ回路６２におけるディレイ量は、上述したようにデータの記録速度に依存していることが判明している。そこで、制御手段５０には、データの記録速度に基づいてディレイ量を調整することができるように記述されたファームウェアが搭載されている。制御手段５０によるデータの記録時におけるディレイ回路６２の制御は、このファームウェアによって実行される。
【００３８】
ただし、実際のファームウェアでは、記録速度ではなく、光ディスク上での記録位置に基づいて、最適なディレイ量を算出している。
ＣＡＶ制御でデータ記録を行なう場合において、記録位置が光ディスクの内周側から外周側に行くにしたがって記録速度が高速になるため、記録位置と記録速度とは比例関係にあり、記録速度を測定してディレイ量を算出するよりも記録位置に基づいてディレイ量を算出する方が容易であるためである。
【００３９】
制御手段５０では、ＣＡＶ制御でデータ記録を行なう場合において、データの記録位置とディレイ量とを表した関係式に基づいて、ディレイ量を算出する。関係式は、予め作成して関係式記憶手段５２に記憶させている。
本実施例では関係式記憶手段５２としては、制御手段５０の内部に設けられたメモリ領域を想定しているが、制御手段５０の外部に接続されたＲＯＭ等の素子であってもよい。
【００４０】
関係式は図３に示すようなグラフに基づいて、光ディスク装置３０の工場出荷前に予め算出される。
グラフでは、横軸に光ディスクの半径位置を表し、縦軸にディレイ回路におけるディレイ量を表している。
関係式の算出は、光ディスク３１内周側の位置ｘ１における最適なディレイ量ｙ１と、光ディスク３１の外周側の位置ｘ２における最適なディレイ量ｙ２とを予め算出しておき、このｘ１，ｘ２、ｙ１およびｙ２の値から、ディレイ量ｙを光ディスク上の位置ｘについての関数として算出される。
図３においては、ディレイ量をｙ、光ディスク上の位置をｘとした場合、関係式は、ｙ＝Ａｘ＋Ｂで表すことができる。ただし、Ａ＝ｙ２−ｙ１／ｘ２−ｘ１であり、Ｂ＝｛（ｙ２＋ｙ１）（ｘ２−ｘ１）−（ｙ２−ｙ１）（ｘ２＋ｘ１）｝／２（ｘ２−ｘ１）である。
【００４１】
この関係式は、関係式記憶手段５２内に予め記憶させておき、制御手段５０は、ＣＡＶ制御によってデータ記録が開始された場合には、データ記録を行なうアドレスに基づいて関係式に光ディスク上の位置を代入していき、データ記録中には常時ディレイ量を算出し、この算出したディレイ量に基づいてディレイ回路６２のディレイ量を調節する。
【００４２】
なお、制御手段５０は、データの記録速度が変化しないＣＬＶ制御でデータの記録を実行する場合には、データ記録中のディレイ量を常時調節する必要はない。
そこで、光ディスク装置３０は、予め所定の記録速度に対応するディレイ量を記憶手段に記憶させておき、ＣＬＶ制御でのデータの記録開始時には、制御手段５０は、決定した記録速度に対応するディレイ量となるように、記録速度に対応するディレイ量を記憶手段から取り出してこのディレイ量でデータ記録を行なうように制御する。
【００４３】
以上本発明につき好適な実施例を挙げて種々説明したが、本発明はこの実施例に限定されるものではなく、発明の精神を逸脱しない範囲内で多くの改変を施し得るのはもちろんである。
【図面の簡単な説明】
【００４４】
【図１】本発明にかかる光ディスク装置を示すブロック図である。
【図２】同期信号を生成する第１のＰＬＬ回路および第２のＰＬＬ回路の構成を説明するブロック図である。
【図３】ディレイ回路のディレイ量の関係式を算出するためのグラフである。
【図４】ＤＶＤディスクの記録面の構造を示す説明図である。
【図５】従来の光ディスク装置の概略構成を示すブロック図である。
【図６】プッシュプル信号の波形形状を示す説明図である。
【図７】ウォブル信号とＬＰＰ信号との位相ずれを示す説明図である。
【符号の説明】
【００４５】
３０   光ディスク装置
３１   光ディスク
３２   スピンドルモータ
３３   対物レンズ
３４   光ピックアップ
３５   フォトダイオード
３６   ＲＦアンプ
３７   レーザダイオード
３８   デコーダ
３９   インターフェース
４０   ＬＰＰ信号生成回路
４２   ウォブル信号生成回路
４４   第１のＰＬＬ回路
４６   第２のＰＬＬ回路
４７   第１の加算部
５０   制御手段
５２   関係式記憶手段
５４   エンコーダ
５５   平滑化回路
５６   レーザドライバ
５７   第１の位相比較器
５８   チャージポンプ回路
６０，７２    ローパスフィルター
６２   ディレイ回路
６４   周波数検出器
６６   第２の位相比較器
６７   デジタルフィルタ
６９   第２の加算部
７０   第１の位相比較器
７３   分周器
７４   フィルタ
７６，７８    コンパレータ
ａ     光強度信号
ｂ     ＲＦ信号
ｃ     プッシュプル信号
ｃ１   ウォブル成分
ｃ２   ＬＰＰ成分
ｄ     データ信号
ｅ     ウォブル信号
ｆ     ＬＰＰ信号
ｇ     第１の同期信号
ｈ     第２の同期信号
ｉ     第３の電圧制御信号
ｊ     最終的な同期信号
ｋ     平滑化されたＬＰＰ信号
ｌ     第１の誤差信号
ｍ     第１の電圧制御信号
ｎ     ディレイウォブル信号
ｏ     周波数カウント信号
ｐ     第２の誤差信号
ｑ     ノイズが除去された第２の誤差信号
ｒ     第２の電圧制御信号
ｓ     第３の同期信号
ｔ     第３の誤差信号
ｕ     １／Ｎ同期信号                                                        
【図１】
2006236521.tif 000003
【図２】
2006236521.tif 000004
【図３】
2006236521.tif 000005
【図４】
2006236521.tif 000006
【図５】
2006236521.tif 000007
【図６】
2006236521.tif 000008
【図７】
2006236521.tif 000009